(57)【要約】  【目的】被記録材に反りがあるような場合でも、紙間距離を適正に維持することができ、画像品位を良好に保つとともに、被記録材の先端部及び後端部における記録ヘッドとの擦れを防止できる記録装置を提供する。  【構成】記録ヘッド４０と被記録材２７との間の紙間距離δを変化させる紙間調節機構２０を備えた記録装置において、同一の被記録材２７の記録位置に応じて紙間調節機構２０を作動させて紙間距離δを変化させる。例えば、被記録材２７を記録部の搬送方向上流側もしくは下流側の搬送ローラのみで挟持しているときには紙間距離δを比較的大きくし、被記録材２７を上流側及び下流側の搬送ローラで挟持しているときには紙間距離δを比較的小さくする。【選択図】                図２
2005161598.tif 000002
【特許請求の範囲】
【請求項１】
記録ヘッドと被記録材との間の紙間距離を変化させる紙間調節機構を備えた記録装置において、同一の被記録材の記録位置に応じて前記紙間調節機構を作動させて前記紙間距離を変化させることを特徴とする記録装置。
【請求項２】
被記録材搬送方向における記録部の上流側及び下流側に搬送ローラを配置し、被記録材を上流側もしくは下流側の搬送ローラのみで挟持しているときの前記紙間距離を、被記録材を上流側及び下流側の搬送ローラで挟持しているときの紙間距離よりも大きくすることを特徴とする請求項１に記載の記録装置。
【請求項３】
画像形成を記録ヘッドの複数スキャンで行うマルチパス画像形成手段を備え、前記紙間距離を所定数のスキャンごとに段階的に変化させることを特徴とする請求項１又は２に記載の記録装置。
【請求項４】
前記記録ヘッドの位置を変化させることにより前記紙間距離を変化させることを特徴とする請求項１〜３のいずれかに記載の記録装置。
【請求項５】
前記被記録材の位置を変化させることにより前記紙間距離を変化させることを特徴とする請求項１〜３のいずれかに記載の記録装置。
【発明の詳細な説明】
【技術分野】
【０００１】
本発明は記録ヘッドと被記録材との間の間隔を変化させる紙間調節機構を備えた記録装置に関する。
【背景技術】
【０００２】
パソコンなどの出力装置として、記録手段としての記録ヘッドを画像情報に基づいて駆動することにより記録用紙等の被記録材に文字や画像を記録するプリンタ（印刷装置）等の記録装置が使用されている。記録装置の用途は近年増加しており、パソコンからの出力であれば、特にインターネット情報の出力や写真の出力といった画像情報の出力の形態が増えており、また、パソコンを介さないでデジタルカメラ等の画像情報を直接記録装置から出力する形態を実用化されており、種々の形態による画像情報の出力が非常に増えてきている。文字情報の出力とは異なり、画像情報の出力では被記録材の上端から下端まで全面に画像を形成する場合が多い。
【０００３】
図８は本発明を適用する前の記録装置の一例を示す模式的縦断面図である。図８において、１０１は用紙等の被記録材１１２を積載保持するとともに１枚ずつ分離して記録部へ送給するための給紙部、１０２は給紙部１０１から送給された被記録材１１２を副走査（紙送り、搬送）するための第１の搬送ローラ、１０３は被記録材１１２を搬送ローラ１０２に圧接するための従動ローラ（ピンチローラ）である。前記従動ローラ１０３は従動ローラホルダ１０４に回動自在に保持されており、該ホルダ１０１を不図示のばねによって第１の搬送ローラ１０２に向けてばね付勢することにより前記従動ローラ１０３が該搬送ローラ１０２へ圧接される。
【０００４】
１０６はキャリッジユニットであり、記録手段としての記録ヘッド１４０をキャリッジ１４５に搭載することにより構成されている。キャリッジユニット１０６は、ガイドシャフト１０７に沿って主走査方向に往復移動可能に案内支持されている。１１１は記録部において被記録材１１２をバックアップしながら所定の通紙経路（搬送経路）に沿って案内するためのプラテンである。１０８は被記録材１１２を装置本体から排出するために記録ヘッド１４０の搬送方向下流側に配置された第２の搬送ローラとしての排紙ローラである。この第２の搬送ローラ１０８に対しては搬送力を付与するための拍車１０９が従動回転するようにして押圧されている。
【０００５】
給紙部１０１から給送された被記録材１１２は第１の搬送ローラ１０２と従動ローラ１０３に挟持されて記録部を通して搬送され、キャリッジユニット１０６による主走査と搬送ローラ１０２による副走査を交互に繰り返しながら記録（印刷）が行われる。被記録材１１２の先端部を記録する際には、被記録材１１２は第１の搬送ローラ１０２と従動ローラ１０３とで形成される第１の搬送ローラ対のニップ部（第１のニップ部）だけで挟持された状態で画像が形成される。副走査（紙送り）が進んで被記録材の中央部を記録する際には、前記第１の搬送ローラ対の第１のニップ部、並びに第２の搬送ローラ１０８と拍車１０９とのニップ部（第２のニップ部）の双方によって挟持された状態で画像が形成される。
【０００６】
つまり、記録ヘッド１４０の上流側のニップ部と下流側のニップ部との両方によってニップ（挟持）され紙送りされながら記録が行われる。さらに副走査（紙送り）が進んで被記録材の後端部を記録する際には、該被記録材の後端部が第１の搬送ローラ１０２（第１のニップ部）から外れ、第２の搬送ローラ１０８と拍車１０９とのニップ部（第２のニップ部）だけで挟持された状態で画像が形成される。特に縁無し印刷（記録）を行う場合には、被記録材の先端部及び後端部と両側部に該被記録材のサイズよりも大きい印刷領域を設定して印刷が行われるが、このような縁無し印刷を行う場合には、前述のような一方のニップ部だけで挟持搬送しながら記録する動作が必要不可欠になる。
【特許文献１】特開平６−２６１６８６号公報
【発明の開示】
【発明が解決しようとする課題】
【０００７】
しかしながら、従来の記録装置においては、前述のような一方のニップ部だけで挟持して印刷（記録）する場合、次のような解決すべき技術的課題が存在していた。すなわち、同一の被記録材の先端部及び後端部を印刷する際、該被記録材にカール（反り）などの変形が発生していると、該被記録材がキャリッジユニット１０６側（記録ヘッド１４０側）へ浮いてしまって記録画像が乱れたり、最悪の場合には被記録材と記録ヘッドが擦れるといった不都合が生じていた。インクジェット記録装置の場合、このような不都合を避けるために記録ヘッド１４０（その吐出口面１４０ａ）と被記録材表面との距離（紙間距離）を大きくとることが考えられるが、このような方法では、画像品位の劣化などが発生することになり、解決策にはならない。
【０００８】
本発明はこのような技術的課題に鑑みてなされたものであり、本発明の目的は、紙間距離を適正に維持することができ、画像品位を良好に保つとともに、被記録材の先端部及び後端部における記録ヘッドとの擦れを防止することができる記録装置を提供することである。
【課題を解決するための手段】
【０００９】
本発明は、上記目的を達成するため、記録ヘッドと被記録材との間の紙間距離を変化させる紙間調節機構を備えた記録装置において、同一の被記録材の記録位置に応じて前記紙間調節機構を作動させて前記紙間距離を変化させることを特徴とする。前記紙間距離の制御手段としては、例えば、被記録材搬送方向における記録部の上流側及び下流側に搬送ローラを配置し、被記録材を上流側もしくは下流側の搬送ローラのみで挟持しているときの前記紙間距離を、被記録材を上流側及び下流側の搬送ローラで挟持しているときの紙間距離よりも大きくする構成が採られる。このような構成は、特に、被記録材にカール（反り）等の変形が発生するおそれがある場合に好適なものである。
【発明の効果】
【００１０】
本発明による記録装置によれば、同一の被記録材の記録位置に応じて紙間調節機構を自動的に作動させて紙間距離を変化させる構成とするので、紙間距離を適正に維持することができ、画像品位を良好に保つとともに、被記録材の先端部及び後端部における記録ヘッドとの擦れを防止することができる記録装置が提供される。
【発明を実施するための最良の形態】
【００１１】
以下、図面を参照して本発明の実施の形態を具体的に説明する。なお、各図面を通して同一符号は同一又は対応部分を示すものである。図１は本発明を適用した記録装置の構成例を示す模式的斜視図であり、図２は図１の記録装置の縦断面図である。図１及び図２において、キャリッジ４５に記録手段としての記録ヘッド４０を位置決め搭載した構成を有するキャリッジユニット１０は、装置本体に設置されたガイドシャフト１１に沿って往復移動可能に案内支持されている。キャリッジ４５には、ガイドシャフト１１に嵌合される第１のガイド面（軸受面）１０ａと、装置本体のシャーシ３２等に形成されたガイドレール３２ｅに摺動係合される第２のガイド面１０ｂとが設けられている。
【００１２】
本実施形態における記録装置は、記録ヘッド４０から用紙等の被記録材２７へインクを吐出して記録を行うインクジェット記録装置の場合が例示されている。１２は、被記録材２７を積載保持するとともに記録部まで被記録材２７を１枚ずつ送給するための給紙部である。給紙部１２は、給紙ローラ１３と圧板１４と被記録材積載面１５を備えており、ばね付勢された圧板を介して被記録材２７を給紙ローラ１３に圧接するとともに、該給紙ローラを駆動することにより被記録材を１枚ずつ分離して被記録材ガイド面１６に沿って記録部へ給送（供給）するように構成されている。ガイド面１６に沿って供給される被記録材２７は、先ず第１の搬送ローラ（副走査ローラ）１８とピンチローラ１９の間のニッブ部（圧接部、被記録材挟持部）に挿入され、これらの第１の搬送ローラ対によって搬送（紙送り）される。前記ピンチローラ１９は、ピンチローラホルダ１７に回転自在に保持され、不図示のピンチローラ圧接ばねにより搬送ローラ１８に向けて付勢されている。
【００１３】
図１及び図２において、２１は、記録部において被記録材２７をバックアップしながら所定の通紙経路（搬送経路）に沿って案内するためのプラテンである。記録ヘッド４０の搬送方向下流側には、第２の搬送ローラ（排紙ローラ）２３と拍車２４から成る第２の搬送ローラ対が配置されている。拍車２４は、不図示の拍車ホルダに回転自在に保持され、不図示の拍車ばねにより第２の搬送ローラ２３に向けて付勢されている。記録部を通過した被記録材２７はこれらの第２の搬送ローラ対の間のニップ部（挟持部）に挿入され、被記録材２７の後端が前記第１の搬送ローラ対１８、１９から外れるまでは、前記第１及び第２の搬送ローラ対の両方によって搬送される。なお、第２の搬送ローラ２３は第１の搬送ローラ１８と同期して回転駆動される。記録装置に向かってシャーシ３２の右側には右側板３２ｃが設けられ、シャーシ３２の左側には左側板３２ｄが設けられ、前記ガイドシャフト１１はこれらの側板３２ｃ、３２ｄによって支持されている。該シャーシ３２の上部には前記ガイドレール３２ｅが一体に形成されている。
【実施例１】
【００１４】
図１及び図２に示す記録装置には、記録ヘッド４０（その吐出口面４０ａ）と被記録材２７の表面との間隔（紙間距離）を変化されるために、以下に説明するような紙間調節機構２０が設けられている。図１及び図２において、キャリッジユニット１０の往復移動を案内支持するためのガイドシャフト１１は、シャーシ３２の右側板３２ｃ及び左側板３２ｄに対して上下方向に移動可能（昇降可能）に取り付けられている。前面から記録装置に向かって、前記ガイドシャフト１１の右側端部には第１のカム（ガイドシャフトカム）２８が設けられ、該ガイドシャフト１１の左側端部には第２のカム（ガイドシャフトカム）２９が設けられている。
【００１５】
前記シャーシ３２の右側板３２ｃ、左側板３２ｄのそれぞれには、前記第１のガイドシャフトカム２８と係合する第１のカムフォロア部３２ａ、前記第２のガイドシャフトカム２９と係合する第２のカムフォロア部３２ｂが設けられている。前記第１のカム２８の側面には同心のギア部２８ｂが設けられている。シャーシ３２の図示右側寄りの位置には、キャリッジユニット１０を昇降させるための駆動源としてのリフトモータ３１が取り付けられており、該リフトモータ３１のピニオンギア３３はアイドラギア３０と噛み合っており、該アイドラギア３０はさらに前記第１のガイドシャフトカム２８のギア部２８ｂと噛み合っている。
【００１６】
図２において、記録ヘッド４０のインク吐出部（本実施例では、複数の吐出口から成る吐出口列が形成された吐出口面）４０ａとプラテン２１上の被記録材２７の表面との間の距離δが紙間距離であり、上記紙間調節機構２０はこの紙間距離δを自動的に変化させるための手段である。特に、記録装置がキャリッジユニット１０の記録ヘッド４０から被記録材２７にインクを吐出して記録を行うインクジェット記録装置である場合には、前記紙間距離δを小さくするほど画像品位が向上することになるが、あまり小さくすると、被記録材の反りやインクを含んで湿潤した被記録材の変形などによって、記録ヘッド４０と被記録材２７が擦れるという不具合が発生しやすくなる。本実施形態は、同一の被記録材の記録中における記録位置に応じて紙間調節機構２０を自動的に作動させて紙間距離δを変化させることで、上記のような不具合を無くすものである。
【００１７】
図３は本実施例に係る紙間調節機構２０の構成及び動作を説明するための模式的縦断面図である。次に、図３を参照して、紙間距離δを変化させるための構成及び動作について説明する。図３において、リフトモータ３１が図示の反時計方向に回転すると、ピニオンギア３３及びアイドラギア３０を介して前記ギア部２８ｂが同様に反時計方向に回転し、第１のガイドシャフトカム２８が反時計方向に回転する。すると、第１のカム２８の突起部２８ａがシャーシ３２のカムフォロア部３２ａを押圧し、その反動によってガイドシャフト１１が矢印で示すように上方向へ移動させられる。
【００１８】
一方、ガイドシャフト１１の反対側（左側）においても、ガイドシャフト１１の回転に対して同位相で動作するように構成されており、従って、第２のカム２９の突起部２９ａ（不図示）がカムフォロア部３２ｂ（不図示）を押圧し、その反動によってガイドシャフト１１が同様に上方向へ移動させられる。その結果、キャリッジユニット１０全体がプラテン２１に対して平行状態を保ちながら上昇し、前記紙間距離δが大きくなる方向に変化する。この状態から、リフトモータ３１が逆方向に回転するか、もしくは同方向に更に回転すると、カムフォロア部３２ａ、３２ｂに当接する上記カム２８、２９の突起部が低くなったり、無くなったり、さらにはカムフォロア部３２ａ、３２ｂから上記カム２８、２９が離間することにより、ガイドシャフト１１と共にキャリッジユニット１０が下降し、前記紙間距離δが小さくなる方向に変化する。
【００１９】
図４は本実施例に係る記録装置において被記録材が第１の搬送ローラ対１８、１９のニップ部のみで挟持搬送されるときに紙間距離δを比較的大きくする制御動作を示す模式的縦断面図であり、図５は本実施例に係る記録装置において被記録材が第２の搬送ローラ対２３、２４のニップ部のみで挟持搬送されるときに紙間距離δを比較的大きくする制御動作を示す模式的縦断面図である。次に、図４及び図５を参照して記録動作に合わせて紙間距離を変化させる制御動作の一例について説明する。
【００２０】
給紙部１２から給送された被記録材２７は、先ず、記録部の搬送方向上流側に配置された第１の搬送ローラ（副走査ローラ）１８及びピンチローラ１９から成る第１の搬送ローラ対によって形成された第１のニップ部に挿入され、記録部のプラテン２１まで搬送される。例えば縁無し印刷の場合には被記録材２７の先端ぎりぎりから印刷することになるが、その際には被記録材２７は未だ記録部の搬送方向下流側の第２の搬送ローラ（排紙ローラ）２３及び拍車２４から成る第１の搬送ローラ対によって形成された第２のニップ部には到達しておらず、被記録材は上記第１のニップ部のみで挟持搬送される。そのため、紙送りされる被記録材２７に少しでもカール（反り）が発生していると該被記録材が記録ヘッド４０の吐出口面４０ａに擦れる可能性が高くなる。そのため、図４の状態では、被記録材２７の先端部が第２の搬送ローラ対２３、２４に挟持されるまでは、紙間距離δを適正範囲に収めるとともに記録ヘッド４０との擦れを防止するために、あらかじめ記録ヘッド４０を上昇させて紙間距離δを大きくしておく。
【００２１】
その後、被記録材２７の先端部が第２の搬送ローラ対２３、２４の第２のニップ部に到達し、この第２のニップ部と上記第１のニップ部の両方で挟持搬送される状態になると、被記録材２７にカールがある場合でも、記録部における該被記録材の浮きを抑えることができる。従って、紙間距離δを適正範囲に収めるとともに記録ヘッド４０との擦れを防止し、画像品質を向上させるために、記録ヘッド４０を下降させて紙間距離δを小さくしておく。これは、副走査方向における被記録材２７の位置（又は記録位置）を検知し、適切なタイミングでリフトモータ３１を所定方向に駆動してガイドシャフト１１を回転させる制御動作によって行われる。紙間距離δを小さくした状態は図２に例示されており、この状態では、カム２８、２９の突起部２８ａ、２９ａがカムフォロア部３２ａ、３２ｂから離れ、ガイドシャフト１１が下降された状態である。
【００２２】
紙間距離δを変化させるタイミングに関しては、例えば、搬送経路（被記録材ガイド面１６など）に配設されたＰＥ（Paper Edge、紙端検知）センサ３４による検出タイミングを用いたり、あるいは、又は予め記憶された被記録材２７の長さに基づいて決定される。また、紙間距離δを急激に変化させると画像品位が落ちる場合があるので、紙間距離δを徐々に変化（減少）させることが好ましい。具体的には、例えば、画像形成を記録ヘッドの複数スキャンで行うマルチパス画像形成手段を備えている場合には、マルチパス記録（複数の主走査で所定幅の１ラインの画像を形成する記録）の際に、キャリッジ４５の所定数（１もしくは２以上）のスキャン（主走査）ごとに紙間距離δを段階的に変化（減少）させる制御方法が採用される。
【００２３】
さらに記録動作が進んで、被記録材２７の後端部が第１の搬送ローラ対１８、１９抜け、第２の搬送ローラ対２３、２４のみで挟持搬送される状態（図５の状態）になるが、前記縁無し印刷の場合には被記録材２７の後端ぎりぎりまで印刷するような場合には、このような状態でも記録動作が続行される。この状態では、被記録材は上記第２のニップ部のみで挟持搬送されるため、被記録材２７が少しでもカールしていると、図４の場合と同様に該被記録材が記録ヘッド４０の吐出口面４０ａに擦れる可能性が高くなる。そのため、図５の状態では、紙間距離δを適正範囲に収めるとともに記録ヘッド４０との擦れを防止するために、あらかじめ記録ヘッド４０を上昇させて紙間距離δを大きくしておく。この場合の紙間距離δの変更も、副走査方向における被記録材２７の位置（又は記録位置）を検知し、適切なタイミングでリフトモータ３１を所定方向に駆動してガイドシャフト１１を回転させる制御動作によって行われる。
【００２４】
この場合の紙間距離δを変化させるタイミングも、例えば、搬送経路（被記録材ガイド面１６など）に配設されたＰＥ（Paper Edge、紙端検知）センサ３４による検出タイミングを用いたり、あるいは、又は予め記憶された被記録材２７の長さに基づいて決定される。そして、この場合は、紙間距離δの急激な変化によって画像品位が落ちるのを防止するために、あらかじめ紙間距離δを徐々に変化（増加）させることが好ましい。具体的には、画像形成を記録ヘッドの複数スキャンで行うマルチパス画像形成手段を備えている場合には、被記録材２７の後端が第１の搬送ローラ対１８、１９を離れる前に、マルチパス記録（複数の主走査で所定幅の１ラインの画像を形成する記録）の際に、予めキャリッジ４５の所定数（１もしくは２以上）のスキャン（主走査）ごとに紙間距離δを段階的に変化（増加）させる制御方法が採用される。
【００２５】
以上説明した実施例によれば、記録ヘッド４０と被記録材２７との間の紙間距離δを変化させる紙間調節機構２０を備えた記録装置において、同一の被記録材２７の記録位置に応じて前記紙間調節機構２０を作動させて前記紙間距離δを変化させるように構成するので、被記録材２７に反りがあるような場合でも、紙間距離δを適正に維持することができ、画像品位を良好に保つとともに、被記録材２７の先端部及び後端部における記録ヘッド４０との擦れを防止することができる記録装置が提供される。
【実施例２】
【００２６】
図６は本発明の実施例２に係る紙間調節機構を備えた記録装置の構成を示す模式的斜視図であり、図７は図６の記録装置の紙間調節機構の構成及び動作を説明するための模式的縦断面図である。本実施例に係る紙間調節機構２０においては、紙間距離δの変更（調節）は記録部におけるプラテンの位置の変更によって行われる。図６及び図７において、記録ヘッド４０の吐出口面４０ａと所定間隔をおいて対面するプラテン５５の底面（下面）の左右両側の部位のそれぞれにはプラテンカムフォロア（カムフォロア部）５５ａが設けられている。カム軸５１の左右には、前記左右のプラテンカムフォロア５５ａのそれぞれと係合可能なカム部５１ａが設けられている。また、カム軸５１の一端部（図示の右側端部）にはギア部（カムギア）５１ｂが設けられている。前述の実施例１の場合と異なり、本実施例におけるプラテン５５はシャーシ３２に対して上下方向に移動可能に取り付けられている。
【００２７】
シャーシ３２の図示右側寄りの位置には、キャリッジユニット１０を昇降させるための駆動源としてのリフトモータ５４が取り付けられており、該リフトモータ５４のピニオンギア（モータピニオン）５３はアイドラギア５２と噛み合っている。前記アイドラギア５２は、さらに、前記カム軸５１のカムギア（ギア部）５１ｂと噛み合っている。キャリッジユニット１０の往復移動を案内支持するためのガイドシャフト１１は、前述の実施例１の場合の昇降可能なガイドシャフトとは異なり、シャーシ３２の両側の側板３２ｃ、３２ｄに対して一定の部位に固定的に取り付けられている。本実施例に係る記録装置は、以上の点で実施例１と相違するが、その他の点では実質的に同じ構成を有しており、対応する部分をそれぞれ同一符号で示し、それらの詳細説明は省略する。本実施例においても、リフトモータ５４の駆動によって、同一被記録材２７の記録位置に応じて紙間距離δを変化させ得るように構成されており、この点に関する機能もしくは適用可能性は図４及び図５を参照して説明した実施例１の場合と実質的に同じである。
【００２８】
図７において、リフトモータ５４が図示の時計方向に回転すると、モータピニオン５３及びアイドラギア５２を介して、カム軸５１のギア部５１ｂが同様に時計方向に回転する。その結果、カム軸５１の左右のカム部５１ａによってプラテン５５の左右のカムフォロア部５５ａが押し下げられ、プラテン５５が下方へ移動させられる。このプラテン５５の下降によって、記録ヘッド４０の吐出口面４０ａとプラテン５５上の被記録材２７の表面との間の間隔（紙間距離）δが大きくなる。紙間距離δを逆に小さくする場合は、リフトモータ５４を逆転させる。ただし、この場合、上記カム部５１ａの形状によっては、実施例１の場合と同様、同方向にさらに回転させても良い。
【００２９】
本実施例は以上説明した点で前述の実施例１と相違しているが、その他の点では図１〜図５で説明した実施例１の場合と実質的に同じ構成を有しており、それぞれ対応する部分を同一符号で示し、それらの詳細説明は省略する。従って、記録装置のその他の構成及び動作は実施例１の場合と実質的に同じであり、従って、本実施例によっても、実施例１の場合と同様、被記録材２７に反りがあるような場合でも、紙間距離δを適正に維持することができ、画像品位を良好に保つとともに、被記録材２７の先端部及び後端部における記録ヘッド４０との擦れを防止することができる記録装置が提供される。
【００３０】
なお、以上の実施形態では、記録部の搬送方向上流側及び搬送方向下流側に搬送ローラ対を１組ずつ配置する場合を例示したが、これは、両側もしくは片側に２組以上の搬送ローラ対を配置しても良く、その場合も、上流側の搬送ローラ対が第１の搬送ローラ対に対応し、下流側の搬送ローラ対が第２の搬送ローラ対に対応するものであり、本発明はそれらの構成もその範囲内に含むものである。また、以上の実施形態では、本発明が適用される記録装置がインクジェット記録装置である場合を例に挙げて説明したが、本発明は、記録ヘッドと被記録材との間に所定の紙間距離を設けて記録する記録装置であれば、その他の記録装置にも適用可能なものであり、同様の作用、効果が得られるものである。
【００３１】
また、以上の実施形態においては、記録ヘッドを被記録材に対して相対移動させながら記録するシリアル記録方式の記録装置を例に挙げて説明したが、本発明は、被記録材の全幅又は一部をカバーする長さのラインタイプの記録ヘッドを用いて副走査のみで記録するライン記録方式の記録装置に対しても同様に適用することができ、同様の効果を達成し得るものである。また、本発明は、１個の記録ヘッドを用いる記録装置、異なる色のインクで記録する複数の記録ヘッドを用いるカラー記録装置、あるいは同一色彩で異なる濃度で記録する複数の記録ヘッドを用いる階調記録装置、さらには、これらを組み合わせた記録装置の場合にも、同様に適用することができ、同様の効果を達成し得るものである。
【００３２】
さらに、本発明は、インクジェット記録装置に適用する場合、記録ヘッドとインクタンクを一体化した交換可能なインクカートリッジを用いる構成、記録ヘッドとインクタンクを別体にし、その間をインク供給用チューブ等で接続する構成など、記録ヘッドとインクタンクの配置構成がどのような場合にも同様に適用することができ、同様の効果が得られるものである。なお、本発明は、インクジェット記録装置に適用する場合、例えば、ピエゾ素子等の電気機械変換体等を用いる記録手段を使用するものである場合にも適用できるが、中でも、熱エネルギーを利用してインクを吐出する方式の記録手段を使用するインクジェット記録装置において優れた効果をもたらすものである。かかる方式によれば、記録の高密度化、高精細化が達成できるからである。
【図面の簡単な説明】
【００３３】
【図１】本発明を適用した記録装置の構成例を示す模式的斜視図である。
【図２】図１の記録装置の縦断面図である。
【図３】本発明を適用した記録装置の実施例１に係る紙間調節機構の構成及び動作を説明するための模式的縦断面図である。
【図４】本発明を適用した記録装置の実施例１において被記録材が第１の搬送ローラ対のニップ部だけで挟持搬送されるときに紙間距離を比較的大きくする制御動作を示す模式的縦断面図である。
【図５】本発明を適用した記録装置の実施例１において被記録材が第２の搬送ローラ対のニップ部だけで挟持搬送されるときに紙間距離を比較的大きくする制御動作を示す模式的縦断面図である。
【図６】本発明の実施例２に係る紙間調節機構を備えた記録装置の構成を示す模式的斜視図である。
【図７】図６の記録装置の紙間調節機構の構成及び動作を説明するための模式的縦断面図である。
【図８】本発明を適用する前の記録装置の一例を示す模式的縦断面図である。
【符号の説明】
【００３４】
１０      キャリッジユニット
１１      ガイドシャフト
１２      給紙部
１８      第１の搬送ローラ（副走査ローラ）
１９      ピンチローラ（従動ローラ）
２０      紙間調節機構
２１      プラテン
２３      第２の搬送ローラ（排紙ローラ）
２４      拍車
２７      被記録材（用紙等）
２８      第１のガイドシャフトカム
２９      第２のガイドシャフトカム
３０      アイドラギア
３１      リフトモータ
３２      シャーシ
３２ａ、３２ｂ      カムフォロア部
３３      ピニオンギア（モータピニオン）
３４      ＰＥセンサ（紙端検知センサ）
４０      記録ヘッド（記録手段）
４０ａ    吐出口面
４５      キャリッジ
５１      カム軸
５１ａ    カム部
５１ｂ    カムギア
５２      アイドラギア
５３      モータピニオン（ピニオンギア）
５４      リフトモータ
５５      プラテン
５５ａ    カムフォロア部（プラテンカムフォロア）
【図１】
2005161598.tif 000003
【図２】
2005161598.tif 000004
【図３】
2005161598.tif 000005
【図４】
2005161598.tif 000006
【図５】
2005161598.tif 000007
【図６】
2005161598.tif 000008
【図７】
2005161598.tif 000009
【図８】
2005161598.tif 000010